(57)【特許請求の範囲】
【請求項１】
透液性表面シートと裏面シートとの間に吸収体が介在された、生理用ナプキン、おりものシート又は失禁パッドからなる吸収性物品において、
前記吸収体は、複数の凸部を有する凸ロールと複数の凹部を有する凹ロールとの噛み合わせによって凹凸成型させた複数の凹凸成型部が設けられるとともに、前記凹凸成型部は吸収体の一方側の面に、所定形状の外形線を基端として他方側の面側に窪む凹部が形成されるとともに、この凹部に対応する他方側の面に、前記一方側の面に形成された凹部の外形線より一回り大きな外形線を基端として他方側の面より突出する凸部が形成されたものであり、
前記凹凸成型部は、吸収体を圧縮する圧搾加工を施しておらず、凹凸成型部とそれ以外の平坦部とがほぼ均一な密度及び厚みで形成されるとともに、前記複数の凹凸成型部は間欠的な平面パターンで配置されていることを特徴とする吸収性物品。
【請求項２】
前記吸収体は、パルプの目付が１２０〜２００ｇ／ｍ２、高吸水性樹脂の目付が３０〜１２０ｇ／ｍ２で積繊された薄型積繊吸収体である請求項１記載の吸収性物品。
【請求項３】
前記凹凸成型部は、平面形状が楕円形、円形又は多角形である請求項１、２いずれかに記載の吸収性物品。
【請求項４】
前記凹凸成型部は、前記吸収体の幅方向及び長手方向に沿って千鳥状に配置されている請求項１〜３いずれかに記載の吸収性物品。
【請求項５】
前記凹凸成型部は、複数の凹凸成型部を円形又は多角形の平面パターンで配置したものを単位要素パターンとし、この単位要素パターンが連続的又は間欠的に複数配置されている請求項１〜３いずれかに記載の吸収性物品。
【請求項６】
前記凹凸成型部は、平面形状が吸収性物品の幅方向の長さより長手方向の長さが長い形状である請求項１〜５いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、吸収体に複数の凹凸を間欠パターンで付加した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に粉砕パルプ等の紙綿（高吸水性樹脂混入）からなる吸収体を介在したものが知られている。
【０００３】
近年は、比較的嵩のある吸収性物品の場合には、持ち運びに不便である、または収納性が悪いなどの問題があるとともに、物流の効率化や省資源化などの要請から、体液排出部位における吸収体の厚みが５ｍｍ以下、好ましくは１〜３ｍｍの薄型吸収性物品が好まれる傾向にある。吸収性物品の薄型化に際しては、薄型化やコンパクト化が成されても吸水量を落とすことは出来ないため、必然的に高吸水性樹脂の含有率を上げたり、ポリマーシートを使用したりするとともに、吸収体に対して過酷なプレスを施すことにより薄型化を図ることが多く行われている。
【０００４】
例えば下記特許文献１では、所定の領域に所定の平面視形状で構成された複数の圧搾部が離間して設けられた吸収性物品が開示され、下記特許文献２では、吸収層が、肌当接面側に溝を備える離間部と、該離間部によって区画された離間部よりも高坪量である小吸収部とを有し、前記小吸収部には、非肌当接面側に、肌当接面側へ向かう圧搾凹部を有する吸収性物品が開示されている。また、下記特許文献３では、吸収体の上面側と下面側とにそれぞれ熱融着性繊維層を配置し、エンボス加工を施すことにより、吸収体の上面側に配置された熱融着性繊維層と、吸収体の下面側に配置された熱融着性繊維層とを互いに結合した吸収性物品が開示されている。
【先行技術文献】
【特許文献】
【０００５】
【特許文献１】特開２０１２−２９９９７号公報
【特許文献２】特開２０１４−９７２４１号公報
【特許文献３】特開２００４−２９８３３０号公報
【発明の概要】
【発明が解決しようとする課題】
【０００６】
しかしながら、上記特許文献１、２記載の吸収性物品では、複数の凸部を有する凸ロールと平坦なフラットロールとの間を通過させ、吸収体を圧搾加工することによって圧搾部を形成しているため、この圧搾部が周辺部と比較して吸収体の密度が高くなるとともに、この密度が高くなった圧搾部の存在によって、吸収体の身体に沿った変形が抑制され、吸収体全体が硬くなって、装着時に身体にフィットしにくく違和感を感じる場合があった。また、上記特許文献３記載の吸収性物品では、吸収体の上面側及び下面側に配置された熱融着性繊維層を互いに結合するように線状エンボスを施しているため、この線状エンボスにおいて吸収体の柔らかさが損なわれ、装着時に身体にフィットしにくく違和感を感じる場合があった。
【０００７】
特に、透液性表面シートと不透液性裏面シートとの間に吸収体が介在された本体部分の厚みが１〜３ｍｍ程度の薄型吸収性物品の場合、エンボス加工による硬さの影響が顕著にあらわれ、装着時に違和感や不快感を感じやすいとともに、吸収体が変形しにくく、身体に対するフィット性が著しく低下する問題があった。
【０００８】
そこで本発明の主たる課題は、吸収体の柔軟性を向上させ、装着時に身体にフィットしやすくするとともに、装着時の違和感を軽減した吸収性物品を提供することにある。
【課題を解決するための手段】
【０００９】
上記課題を解決するために請求項１に係る本発明として、透液性表面シートと裏面シートとの間に吸収体が介在された、生理用ナプキン、おりものシート又は失禁パッドからなる吸収性物品において、
前記吸収体は、複数の凸部を有する凸ロールと複数の凹部を有する凹ロールとの噛み合わせによって凹凸成型させた複数の凹凸成型部が設けられるとともに、前記凹凸成型部は吸収体の一方側の面に、所定形状の外形線を基端として他方側の面側に窪む凹部が形成されるとともに、この凹部に対応する他方側の面に、前記一方側の面に形成された凹部の外形線より一回り大きな外形線を基端として他方側の面より突出する凸部が形成されたものであり、
前記凹凸成型部は、吸収体を圧縮する圧搾加工を施しておらず、凹凸成型部とそれ以外の平坦部とがほぼ均一な密度及び厚みで形成されるとともに、前記複数の凹凸成型部は間欠的な平面パターンで配置されていることを特徴とする吸収性物品が提供される。
【００１０】
上記請求項１記載の発明では、吸収体として、複数の凸部を有する凸ロールと複数の凹部を有する凹ロールとの噛み合わせによって凹凸成型させた複数の凹凸成型部が設けられるとともに、前記凹凸成型部は吸収体の一方側の面に、所定形状の外形線を基端として他方側の面側に窪む凹部が形成されるとともに、この凹部に対応する他方側の面に、前記一方側の面に形成された凹部の外形線より一回り大きな外形線を基端として他方側の面より突出する凸部が形成されたものとされる。この凹凸成型部は、吸収体の肌面側及び非肌面側からの前記凸ロールの凸部と凹ロールの凹部との噛み合わせによって凹凸成型させたものであり、前記凹凸成型部は、吸収体を圧縮する圧搾加工を施しておらず、凹凸成型部とそれ以外の平坦部とがほぼ均一な密度及び厚みで形成されるので、極度な硬化が生じることがない。また、この凹凸成型部は、吸収体が身体の形状に沿って変形する際の基点となって、吸収体をしなやかに変形させることができるようにしている。
【００１１】
更に、前記複数の凹凸成型部が間欠的な平面パターンで配置されているため、吸収体が身体の形状に沿って変形する際の基点が増え、吸収体全体の柔軟性がより一層向上するようになる。また、吸収体がしなやかに身体にフィットすることにより、装着時の違和感や不快感が軽減できる。
【００１２】
請求項２に係る本発明として、前記吸収体は、パルプの目付が１２０〜２００ｇ／ｍ２、高吸水性樹脂の目付が３０〜１２０ｇ／ｍ２で積繊された薄型積繊吸収体である請求項１記載の吸収性物品が提供される。
【００１３】
上記請求項２記載の発明は、吸収体を圧搾加工したとき硬さの影響が顕著にあらわれやすい薄型積繊吸収体を対象としたものであり、この場合には本発明による効果がより一層明確に発揮されるようになる。
【００１４】
請求項３に係る本発明として、前記凹凸成型部は、平面形状が楕円形、円形又は多角形である請求項１、２いずれかに記載の吸収性物品が提供される。
【００１５】
上記請求項３記載の発明では、前記凹凸成型部の平面形状を楕円形、円形又は多角形とすることにより、吸収体が変形するときの基点が方向性を持たず、吸収体が多方向に可動性を有するようになる。
【００１６】
請求項４に係る本発明として、前記凹凸成型部は、前記吸収体の幅方向及び長手方向に沿って千鳥状に配置されている請求項１〜３いずれかに記載の吸収性物品が提供される。
【００１７】
上記請求項４記載の発明では、前記凹凸成型部を吸収体の幅方向及び長手方向に沿って千鳥状に配置しているため、吸収体が変形する際の基点が規則正しく配列され、吸収体がよりしなやかに変形できるようになる。
【００１８】
請求項５に係る本発明として、前記凹凸成型部は、複数の凹凸成型部を円形又は多角形の平面パターンで配置したものを単位要素パターンとし、この単位要素パターンが連続的又は間欠的に複数配置されている請求項１〜３いずれかに記載の吸収性物品が提供される。
【００１９】
上記請求項５記載の発明では、複数の凹凸成型部を円形又は多角形の平面パターンで配置した単位要素パターンを連続的又は間欠的に複数配置することにより、吸収体が多方向に可動性を有する効果がより明確に発揮され、身体に対するフィット性がより一層向上できるようになる。また、体液が前記凹凸成型部に沿った多方向に拡散するようになり、体液をより広い範囲に拡散して吸収できるようになる。
【００２０】
請求項６に係る本発明として、前記凹凸成型部は、平面形状が吸収性物品の幅方向の長さより長手方向の長さが長い形状である請求項１〜５いずれかに記載の吸収性物品が提供される。
【００２１】
上記請求項６記載の発明では、前記凹凸成型部の平面形状を吸収性物品の幅方向の長さより長手方向の長さが長い形状で形成とすることにより、装着時に脚の付け根の内側部分によって幅方向両側からの脚圧を受けたとき、凹凸成型部が凸部側にさらに隆起しやすくなり、吸収体の身体に対するフィット性がより一層向上できるようになる。また、凹凸成型部に沿って体液が縦拡散しやすくなるので、体液の横漏れが防止できるようになる。
【発明の効果】
【００２２】
以上詳説のとおり本発明によれば、吸収体の柔軟性が向上でき、装着時に身体にフィットしやすくなるとともに、装着時の違和感が軽減できるようになる。
【図面の簡単な説明】
【００２３】
【図１】本発明に係る生理用ナプキン１の一部破断展開図である。
【図２】図１のII−II線矢視図である。
【図３】被包シート５で囲繞した吸収体４の平面図である。
【図４】図３のIV−IV線矢視図である。
【図５】吸収体４の製造工程を示す模式図である。
【図６】凸ロール２０と凹ロール２１との噛み合わせ状態を示す拡大図である。
【図７】他の実施例に係る被包シート５で囲繞した吸収体４の平面図である。
【図８】凹凸成型部１０の平面図である。
【図９】他の形態例に係る吸収体４の平面図である。
【図１０】他の形態例に係る吸収体４の平面図である。
【図１１】凸部２２と凹部２３の噛み合わせ状態を示す平面図である。
【発明を実施するための形態】
【００２４】
以下、本発明の実施の形態について図面を参照しながら詳述する。
【００２５】
〔生理用ナプキン１の基本構成〕
本発明に係る生理用ナプキン１は、図１及び図２に示されるように、ポリエチレンシート、ポリプロピレンシートなどからなる不透液性裏面シート２と、経血やおりものなどを透過させる透液性表面シート３と、これら両シート２，３間に介在された綿状パルプまたは合成パルプなどからなる吸収体４とから主に構成されている。
【００２６】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。
【００２８】
これら不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、形状保持、および経血等を速やかに拡散させるとともに、一旦吸収した経血等の逆戻りを防止するために、図示例のようにクレープ紙や不織布などからなる被包シート５などによって囲繞することも可能であるし、なくてもよい。この吸収体４については後段で更に詳しく説明する。
【００２９】
前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４は、積繊やエアレイド法により作製されたものを用いることができる。積繊により作製される場合の積繊パルプの目付は、１２０〜２００ｇ／ｍ２の薄型積繊吸収体とするのが好ましい。目付は、吸収体の全体に亘って均一な目付としても良いし、異なる目付で形成してもよい。また、前記高吸水性樹脂としては、高吸水ポリマー粒状粉（ＳＡＰ）や高吸水ポリマー繊維（ＳＡＦ）を用いることができ、３０〜１２０ｇ／ｍ２の目付とするのが好ましい。
【００３０】
本生理用ナプキン１は、前記透液性表面シート３と不透液性裏面シート２との間に吸収体４が介在された生理用ナプキン１の組立状態（個包装シートやズレ止め粘着剤層及びズレ止め粘着剤層を覆う剥離紙を含まない。）で、厚みが１〜３ｍｍ、好ましくは１〜２ｍｍの薄型生理用ナプキンとするのがよい。
【００３１】
〔吸収体４について〕
前記吸収体４について更に詳しく説明すると、前記吸収体４は、図３〜図６に示されるように、複数の凸部２２、２２…を有する凸ロール２０と、この凸ロール２０の凸部２２、２２…に対応する複数の凹部２３、２３…を有する凹ロール２１との噛み合わせによって凹凸成型させた複数の凹凸成型部１０、１０…が設けられている。
【００３２】
前記凹凸成型部１０は、詳細には図５及び図６に示されるように、噛み合わせ状態で所定の隙間が形成された凸ロール２０と凹ロール２１との間を通過させることにより、吸収体４を凹凸状に成形加工して設けたものである。このように、吸収体４の肌面側及び非肌面側の両面から凸ロール２０と凹ロール２１との噛み合わせによって凹凸成形加工を行い、吸収体４を圧縮する圧搾加工（エンボス加工）を施していないため、凹凸成型部１０とそれ以外の平坦部とがほぼ均一な密度及び厚みで形成されている。密度及び厚みがほぼ均一とは、凹凸成型部１０とそれ以外の平坦部との密度差又は厚み差が平坦部の約１０％以内のことである。
【００３３】
前記凹凸成型部１０は、吸収体４の一方側の面に、所定形状の外形線を基端として他方側の面側に窪む凹部が形成されるとともに、この凹部に対応する他方側の面に、前記一方側の面に形成された凹部の外形線より一回り大きな外形線を基端として他方側の面より突出する凸部が形成されたものである。
【００３４】
前記凹凸成型部１０の断面形状は、図４に示される例では、吸収体４の肌面側において、非肌面側に窪む両側面と、この端部同士を結ぶ平坦な底面とからなる凹部が設けられるとともに、吸収体４の非肌面側において、非肌面側に突出する両側面と、この端部同士を結ぶ平坦な頂面とからなる凸部が設けられている。前記両側面と底面又は頂面との境界は必ずしも明確でなくてよく、例えばこれらが一体となって吸収体４の平坦部から湾曲するドーム状の形状であってもよい。前記肌面側における凹部の深さは、周辺の平坦部の厚みより大きくするのが好ましい。これにより、凹凸成型部１０が明確に形成でき、吸収体４が身体の形状に沿って変形する際の基点となりやすい。
【００３５】
図４に示されるように、前記凹凸成型部１０の凹凸の深さＤは、０．５ｍｍ以下、好ましくは０．３ｍｍ以下とするのがよい。前記深さＤは、図示例のように被包シート５で囲繞した吸収体４について、前記凹凸成型部１０が設けられない平坦部の外面と、この外面と同じ側の面の凹凸成型部１０の底部（若しくは頂部）との差である。
【００３６】
前記複数の凹凸成型部１０、１０…は、図３及び図４に示されるように、間欠的な平面パターンで設けられている。間欠的な平面パターンとは、隣り合う凹凸成型部１０、１０の間に平坦な離間部が設けられ、凹凸成型部１０、１０同士が接続していないパターンのことである。本生理用ナプキン１では、後段で詳述するように、前記凹凸成型部１０を設けることによって吸収体４の変形基点が増え、多方向に可動性を有するようにしているので、凹凸成型部１０…の平面パターンとしては、凹凸成型部１０を設ける領域に同一のパターンで形成すればよく、吸収体４の領域によって配向パターンを変更する必要がない。
【００３７】
上記のように、吸収体４に前記凹凸成型部１０、１０…を複数形成することにより、この凹凸成型部１０がナプキン装着時に吸収体４が身体の形状に沿って変形する際の基点となって吸収体４を変形しやすくしているため、吸収体４全体の柔軟性が向上し、吸収体４がしなやかに身体にフィットして装着時の違和感や不快感が軽減できるようになる。また、前記凹凸成型部１０、１０…を設けることにより、体液が凹凸成型部１０…に沿って拡散しやすくなり、吸収体の広い範囲に体液を拡散して吸収できるので体液の吸収性能が向上するようになる。
【００３８】
前記凹凸成型部１０を設けるに当たっては、図４に示されるように、吸収体４を被包シート５で囲繞した状態で凹凸成型するのが好ましいが、被包シート５で囲繞する前の吸収体４のみに凹凸成型を施した後、この吸収体４を被包シート５で囲繞するようにしてもよい（図示せず）。
【００３９】
前記凹凸成型部１０、１０…は、図３に示されるように、生理用ナプキン１の幅方向及び長手方向に沿って千鳥状に間欠配置するのが好ましい。これにより、吸収体４の変形基点となる凹凸成型部１０、１０…が規則正しく配列されるとともに、ナプキン幅方向及び長手方向の間欠部を隣り合う凹凸成型部１０が埋めるように配置されるため、吸収体４の変形基点が画一的にならず、吸収体４がよりしなやかに変形できるようになる。
【００４０】
また、前記凹凸成型部１０、１０…は、上述の千鳥状に配置するパターンに代えて、図７に示されるように、複数の凹凸成型部１０、１０…を円形又は多角形の平面パターンで配置したものを単位要素パターン１１とし、この単位要素パターン１１が、ナプキン幅方向及び長手方向に連続的又は間欠的に複数配置されたパターンとすることも可能である。図示例では、８つの円形の凹凸成型部１０、１０…を、正八角形の各頂点に配置した単位要素パターン１１とし、隣り合う単位要素パターン１１、１１同士で隣接する辺同士の凹凸成型部１０、１０を共有した連続的に配置している。単位要素パターン１１を円形又は多角形の平面パターンとすることにより、確実に吸収体４が多方向に可動性を有することができ、身体に対するフィット性がより一層向上できる。また、凹凸成型部１０に沿った体液の拡散が多方向となり、体液の吸収性能が向上するようになる。前記単位要素パターン１１の配置は、隣り合う単位要素パターン１１、１１同士の間に離間部を設けた間欠的としてもよい。
【００４１】
前記凹凸成型部１０は、図８に示されるように、平面形状を(A)円形、(B)楕円形、(C)正多角形又は(D)多角形とすることができる。楕円形又は円形とした場合には、直線部を有さないため、吸収体４が変形する際の方向性を持たず、多方向に可動性を有するようになり、吸収体４がより一層しなやかに身体にフィットしやすくなる。また、正多角形又は多角形とした場合には、吸収体４が変形する際の方向が直線部分を延長した線に沿って形成されやすくなり、吸収体４が変形する際の方向性がある程度制御でき、吸収体４を身体にフィットさせやすくなる。
【００４２】
前記凹凸成型部１０は、図８(B)、(D)に示されるように、平面形状がナプキン幅方向の長さよりナプキン長手方向の長さの方が長い形状で形成するのがより好ましい。すなわち、凹凸成型部１０のナプキン長手方向長さの方が、ナプキン幅方向長さより大きな楕円形や多角形とするのがよい。これにより、装着時に脚の付け根の内側部分からの脚圧が幅方向両側から内側に向けて作用したとき、凹凸成型部１０の凹凸形状がより大きく変形し、凹凸成型部１０が肌面側に突出するように配置された場合には吸収体４の身体に対するフィット性が向上できるようになる。また、凹凸成型部１０の長手方向に沿って体液が縦拡散しやすくなるので、体液の横漏れが防止できるようになる。
【００４３】
前記凹凸成型部１０をナプキン長手方向に長い形状とした場合、長手寸法Ｌ及び短手寸法Ｗは、Ｌ＞Ｗであって、２．５ｍｍ≦Ｌ≦１０ｍｍ、１．５ｍｍ≦Ｗ≦５ｍｍとするのがよい。
【００４４】
また、前記凹凸成型部１０の平面形状を多角形とする場合、五角形から八角形程度とするのが好ましい。図８(C)、(D)に示される例では、六角形としている。これにより、各辺の直線方向に沿った可動性を有するようになる。多角形状の凹凸成型部１０は、図８(C)に示されるように、ナプキン幅方向及び長手方向にほぼ均等な正多角形としてもよいが、図８(D)に示されるように、ナプキン長手方向への体液拡散を促進するため、ナプキン長手方向の長さがナプキン幅方向の長さより長くなるようにしてもよい。
【００４５】
前記凹凸成型部１０は、窪む側（凹部となる側）の面積αが０．０３ｃｍ２≦α≦０．４ｃｍ２、好ましくは０．０３ｃｍ２≦α≦０．０５ｃｍ２のなるべく小さな面積のものを数多く配置するのが好ましい。これによって、吸収体４の変形の基点が増加し、吸収体４がよりしなやかに身体にフィットできるようになる。
【００４６】
また、隣り合う凹凸成型部１０、１０間の離間幅は、１０ｍｍ以下、好ましくは３ｍｍ〜８ｍｍとするのがよい。これによって、吸収体４が変形する際の基点が数多く配置されるようになるとともに、吸収体４の変形が適度にしやすくなる。
【００４７】
前記凹凸成型部１０は、図２に示されるように、吸収体４の非肌面側に突出し肌面側に窪むように形成してもよいし、これとは逆に吸収体４の肌面側に突出し非肌面側に窪むように形成してもよい。なお、肌面側に突出して形成した場合、装着時に幅方向両側から脚圧がかかったときに、凹凸成型部１０がさらに肌面側に隆起しやすくなるため、肌との密着性がより一層向上するようになる。
【００４８】
前記凹凸成型部１０は、図３に示されるように、吸収体４の全面に亘って設けてもよいし、図９及び図１０に示されるように、所定の領域にのみ設け、それ以外の領域には設けないようにしてもよい。
【００４９】
所定の領域にのみ設ける場合の形態例について説明すると、図９に示されるように、生理用ナプキン１の後方の臀部に当接する領域（臀部当接領域１２）にのみ前記凹凸成型部１０を設けることができる。この臀部当接領域１２は、臀部の溝に沿って吸収体４が変形する際に、吸収体４の硬さを感じやすい領域である。このため、この臀部当接領域１２に前記凹凸成型部１０を設けることによって、臀部で感じる硬さによる違和感が軽減するようになる。前記凹凸成型部１０を設ける範囲は、臀部溝の開始位置に対応する部位より後方部分とするのが好ましい。
【００５０】
また、図１０に示されるように、体液排出部位Ｈを含む中央領域にのみ前記凹凸成型部１０を設け、その両側及び前後部には設けないようにすることができる。図１０に示されるように、吸収体４の両側領域１３は、装着時に脚の付け根の内側部分からの脚圧が作用して変形やヨレが生じやすい領域である。このため、この両側領域１３に前記凹凸成型部１０を設けないことにより、吸収体本来のコシがある状態を維持するようにしている。また、体液排出部位Ｈを含む中央領域は、肌面との密着性を良くして隙間をつくらないようにすることが望ましいため、前記凹凸成型部１０を設けることによりしなやかに変形できるようにしている。
【００５１】
図６に示されるように、前記凹凸成型部１０を形成するための凸ロール２０の凸部２２と凹ロール２１の凹部２３との大きさは、凸部２２の面積α＜凹部２３の面積βの関係を有している。前記凸部２２の面積αとは、凸ロール２０の周面から突出し始める凸部２２の基端部の面積のことであり、前記凹部２３の面積βとは、凹ロール２１の周面から窪み始める凹部２３の基端部の面積のことである。具体的に、前記凸部２２の面積αは、０．４ｃｍ２≧α≧０．０３ｃｍ２、好ましくは０．０５ｃｍ２≧α≧０．０３ｃｍ２とするのがよい。また、凹部２３の面積βは、０．６ｃｍ２≧β≧０．０９ｃｍ２、好ましくは０．２ｃｍ２≧β≧０．０９ｃｍ２とするのがよい。
【００５２】
また、前記凸部２２と凹部２３の平面形状は、同じ形状としてもよいし、図１１に示されるように、異なる形状としてもよい。異なる形状とした場合、図１１に示されるように、凸部２２を円形とし、凹部２３を多角形（図示例は正六角形）とするのがよい。これにより凹凸成型部１０が形成された吸収体４は、前記凹部２３の多角形の頂部を基点として、この頂部の方向に沿って吸収体が変形しやすくなり、吸収体の柔軟性が向上する。
【符号の説明】
【００５３】
１…生理用ナプキン、２…不透液性裏面シート、３…透液性表面シート、４…吸収体、５…被包シート、１０…凹凸成型部、１１…単位要素パターン、２０…凸ロール、２１…凹ロール、２２…凸部、２３…凹部
【図１】
0006441628.tif 000002
【図２】
0006441628.tif 000003
【図３】
0006441628.tif 000004
【図４】
0006441628.tif 000005
【図５】
0006441628.tif 000006
【図６】
0006441628.tif 000007
【図７】
0006441628.tif 000008
【図８】
0006441628.tif 000009
【図９】
0006441628.tif 000010
【図１０】
0006441628.tif 000011
【図１１】
0006441628.tif 000012